(57)【要約】【課題】暖房器具を含む加温器、放熱器で、室温から５０℃までの、風の影響を受けにくく、局部的に急激的な加温でなく、また乳幼児や老人にもやさしい、安全で部屋の上部と下部の温度差が少ない、そして暖かさを刺激として感じない、全体があたかも日だまり感的なものが出来ないだろうか、また放熱にタイムラグを設けられないか、また暖めることで結露予防や除湿することが出来ないかが課題である。【解決手段】内径５センチメートル以上の堅牢な合成樹脂管にカーボン主体の黒体による電気発熱面体を必要量内臓させた加温器並びに電気発熱面体と蓄熱剤を管に封入密閉した加温器で基本的に解決できる。【特許請求の範囲】
【請求項１】
内径５センチメートル以上の堅牢な合成樹脂管にカーボンの電気抵抗値を利用した電気発熱面体を内臓させた暖房器具または加温器具。
【請求項２】
内径５センチメートル以上の堅牢な合成樹脂管にカーボンの電気抵抗値を利用した電気発熱面体を挿入し間隙に蓄熱剤を封入密閉して用いる暖房、加温、保温または放熱器具。
【発明の詳細な説明】
【技術分野】
【０００１】  本発明はエネルギーの電気をカーボンで変換して熱源とし、この機構を合成樹脂管に収納したもので加温器具並びに暖房器具の分野である
【背景技術】
【０００２】  本発明は構造的に大きく３つの部分に分けられる、即ち収納部、発熱部そして蓄熱部である。【０００３】収納部は塩化ビニールやポリエチレンなどの内径５センチメートル以上のものを用いる、直管なら配管に用いている通称塩ビ管があるし、フレキシブル管なら、例えば、商品名コルゲート管やレックス管がある、孔の開いている管もあるし開孔率の高いものもある、例えば商品名アミーゴである、しかし用途としては全く新規である。【０００４】発熱部としては信頼性の観点から例えば商品名フレクセルがある。蓄熱部としては、特定できない程の種類があり数もあるので用途特性を勘案して選択する。【０００５】  また本発明は高齢者や障害者を略対象としたものであったが、全体的にみた場合同一形態で後述するあらゆる場面に適用出来る点、今までに考えられなかったものである。
【発明の開示】
【発明が解決しようとする課題】
【０００６】  解決しようとする問題点は（１）直接風の影響を受けにくい加温器はないだろうか、（２）熱元から徐徐に暖かくなるのではなく全体が一様に暖かさがスタートしないだろうか、（３）防水の出来る簡易な加温器はないだろうか、（４）部屋の上部と下部の温度差をなくしたい、足元が寒い、（５）押入れの結露や湿気を追い出す加温器はできないだろうか、（６）熱交換のタイムラグは可能か、（７）置く位置や姿勢や環境を問わない加温器はできないだろうか、（８）上限５０℃までの全く安全な加温器は出来ないだろうか、以上が課題である。
【課題を解決するための手段】
【０００７】  本発明に用いている管は（１）直管、（２）フレキシブル管、（３）開孔管、（４）直管の開孔タイプ、（５）フレキシブル管の開孔タイプ  以上であるが、いずれも扁平強度が高く、開孔率も様々で、用途に応じて選別する。これらの管を収納体として、この中に発熱面体を必要量内臓させる、その際安全性向上回路も組み込む。【０００８】  本発明に用いている発熱面体の発生熱は輻射熱として風や障害物の影響を受けにくい、また電気抵抗値が極めて均一化されているので通電と同時に、立ち上がりが早く尚全体が一様に温度が上昇する。  これは点発熱体や線発熱体や他の熱源を用いた場合この様には出来ない。【０００９】  また、この発熱面体はこれ自体、表面を合成樹脂フイルムで熱圧着そしてシールしてあるので機構全体を生活防水化するのは容易である、また直管に発熱面体を内臓し全体を密閉した場合並びに蓄熱剤も一緒に内臓し全体を密閉したものは、あらゆる環境で例えば水中、土中でも使用出来る。【００１０】  この発熱面体は通電すると遠赤外線をさらに発し、これらは輻射熱として閉め切った部屋なら全体を特に天井と床の温度差の少ない暖め方をする。【００１１】  この発熱面体を開孔管に内臓させ、例えば押入れの布団などの隙間に差し込むことで結露や湿気の防止や追い出しができる。【００１２】  この発熱面体と蓄熱剤を併用し、安価な夜間電力で蓄熱し、朝、昼と放熱させることが出来る、また長距離トラックの例だが走行中に蓄熱させて休息をとる時にエンジンを止めると通電が断たれるが蓄熱剤の放熱が始まり、抱きながら暖かく休息や安眠ができる。【００１３】  暖房器は高い安全性を求められる、がしかし一般的な暖房器具（例えばオイルヒーター、ガスヒーターや電気ヒーターや電気コンロ）は、それ自体が倒れた場合は自働的にオフとなるが、それらの上に人間が倒れたり、カーテンが落ちたとしてもオフにはならず事故となり惨事となる、本発明は全く安全である。【００１４】  本発明は管の内面に発熱面体を使用することと、時として蓄熱剤を併用すること並びに使用にあたっては置く場所や姿勢を問わず、寝かせてよし、立ててよし、吊ってもよし、また防水したものは土中、水中でも使用できることを最も主要な特徴とする。
【発明の効果】
【００１５】  本発明の効果は第一にあらゆる面からの安全性、次に遠赤外線による生体へのいきいき感、癒し感といった健康暖房を得ること、又タイマー制御のできる室内暖房、そして蓄熱剤併用のタイムラグ暖房が可能なこと、そして最後に暖房器具として置く場所や姿勢や環境を問わないという利点がある。
【実施するための最良の形態】
【００１６】  家庭の電気コンセントより抱きあんかＡとして、抱き枕の形態で芯部にフレキシブルで開孔率３０％の直径約１０センチメートル長さ約１００センチメートルの管を用いる。
【００１７】  家庭の電気コンセントより抱きあんかＢとして、抱きあんかＡはコードがついているので、蓄熱剤を併用し利用時にコードをはずす。
【００１８】  家庭の電気コンセントより足温器やあんかとして、長さ約３０センチメートル直径１０から１５センチメートルの管を用いる場合、机下で足を高く出来て具合がよいと云う。
【００１９】  家庭の電気コンセントより部屋暖房として、開孔率３０％直径１０から１５センチメートル長さ１００センチメートルの管を用いる、床に置いても、立ててもよく、吊るしてもよい、特に腰の高さにセットした場合は、濡れたタオル等もかけて乾すことが出来る。又横にしてベッドの下に吊るすことも出来、部屋を広く使え、その上、床清掃も容易である。
【００２０】  家庭の電気コンセントよりトイレ、脱衣室、浴室用として、ここいらは床暖房の入れ忘れた場所である、足温器程度のものをつけっぱなしにしておく、いずれも肌を露出する場所なので要注意である、加えてトイレでの力みと寒さには特に良いという。
【００２１】  家庭の電気コンセントより押入れなどの結露や湿気の予防と追放のため直径８センチメートル長さ約７０センチメートルのを隙間に差し込んで加温使用する。
【００２２】  家庭の電気コンセントよりリハビリ用として、ソファー、椅子などに直径５センチメートル長さ３０センチメートルのものをお尻の下や腰のそばに置く、遠赤外線効果もある。
【００２３】ペットや動物用としてペットのベッドや飼育場の天井に、暖かいばかりでなく遠赤外線効果で術後の回復や健康に良いという。
【００２４】温室、ビニールハウスなど植物用として、蓄熱剤併用で、安価な夜間電力で蓄熱する、これは暖かいだけでなく生体への遠赤外線効果が目に見えない形で影響しているのが判るし、ＨＳＰ（ヒートショックプロテイン）の学説にも副うものと考える。